(57)【特許請求の範囲】
【請求項１】
ワイヤレスデバイス（１００）における使用のための、該ワイヤレスデバイス（１００）と基地局（１１０）との間の１回以上の伝送を制御するための方法であって、該１回以上の伝送は、該ワイヤレスデバイス（１００）から該基地局（１１０）までの無線アップリンクにおける初期伝送を少なくとも含み、
該方法は、
該ワイヤレスデバイス（１００）と該基地局（１１０）との間の該無線アップリンクの品質を決定することであって、該品質は、該ワイヤレスデバイス（１００）から該基地局（１１０）までの該無線アップリンクにおける以前の伝送に対して使用された少なくとも１つのパラメータに基づいている、ことと、
該無線アップリンクの該決定された品質に基づいて、該ワイヤレスデバイス（１００）と該基地局（１１０）との間の該伝送を制御するための制御パラメータを設定することと、
該設定された制御パラメータに基づいて、該初期伝送を伝送することであって、該制御パラメータは、許可された再試行の数およびバックオフ時間のうちの少なくとも１つである、ことと
を含む、方法。
【請求項２】
前記制御パラメータは、電力レベルをさらに含み、
前記方法は、
前記１回以上の伝送のうちの１回に対する肯定応答を受信しなかったことに続いて、後続の伝送のための該電力レベルを増加させることをさらに含む、請求項１に記載の方法。
【請求項３】
前記制御パラメータは、前記許可された再試行の数である、請求項１〜２のいずれかに記載の方法。
【請求項４】
前記制御パラメータは、前記バックオフ時間であり、該制御パラメータを設定することは、
バックオフ時間間隔を設定することと、
該バックオフ時間間隔からのランダム値としてバックオフ時間を選択することと
を含む、請求項１〜３のいずれかに記載の方法。
【請求項５】
前記無線アップリンクの前記品質を決定するために使用される前記少なくとも１つのパラメータは、電力レベル、変調およびコーディングスキーム、またはタイミング前進のうちの１つ以上である、請求項１〜４のいずれかに記載の方法。
【請求項６】
前記品質を決定することは、
前記無線アップリンクにおいて複数の以前の伝送に対して使用された複数の以前の電力レベルを提供することと、
フィルタを該複数の以前の電力レベルに適用することと、
該フィルタリングされた複数の以前の電力レベルに基づいて、該品質を決定することと
を含む、請求項１〜５のいずれかに記載の方法。
【請求項７】
前記フィルタは、
忘却因子を有するか、または有しない平均化フィルタ、
中央値フィルタ、および
最大値フィルタ
のうちの１つである、請求項６に記載の方法。
【請求項８】
前記品質を決定することは、
前記無線アップリンクにおいて複数の以前の伝送に対して使用された複数の以前の変調およびコーディングスキームを提供することと、
該複数の以前の変調およびコーディングスキームと関連付けられる複数のビットレートを決定することと、
フィルタを該複数のビットレートに適用することと、
該フィルタリングされた複数のビットレートに基づいて、該品質を決定することと
を含む、請求項１〜７のいずれかに記載の方法。
【請求項９】
前記品質を決定することは、
前記無線アップリンクにおいて複数の以前の伝送に対して使用された複数のタイミング前進を提供することと、
フィルタを該複数のタイミング前進に適用することと、
該フィルタリングされた複数のタイミング前進に基づいて、該品質を決定することと
を含む、請求項１〜８のいずれかに記載の方法。
【請求項１０】
前記品質を決定することは、
前記基地局（１１０）から前記ワイヤレスデバイス（１００）までの伝送の受信信号電力レベルを測定することと、
該基地局（１１０）にアクセスするために該ワイヤレスデバイス（１１０）において必要とされる最小受信信号電力レベルを前記基地局から受信することと、
該受信信号電力レベルと該最小受信信号電力レベルとの差に基づいて、該品質を決定することと
を含む、請求項１〜９のいずれかに記載の方法。
【請求項１１】
前記以前の伝送は、１つ以上の通常バーストを含む、請求項１〜１０のいずれかに記載の方法。
【請求項１２】
前記複数の以前の電力レベルは、所定の数の以前に伝送されたバーストに対して使用された電力レベル、および／または所定の時間間隔の間に使用された電力レベルに対応する、請求項６〜７のいずれかに記載の方法。
【請求項１３】
前記複数の以前の電力レベルは、成功した伝送に対して使用された電力レベルに制限される、請求項６〜７および１２のいずれかに記載の方法。
【請求項１４】
基地局（１１０）と通信するように構成されているワイヤレスデバイス（１００）であって、該ワイヤレスデバイス（１００）は、請求項１〜１３に記載の方法のうちのいずれかを行うように構成されている、ワイヤレスデバイス。
【発明の詳細な説明】
【技術分野】
【０００１】
（関連出願の相互参照）
本願は、欧州特許出願公開第１０１９６３５２８号（２０１０年１２月２１日出願）の利益を主張し、この出願の全内容は、参照することによって本明細書に明確に援用される。
【０００２】
（技術分野）
本書は、デジタルセルラー電気通信ネットワーク内の移動局に関する。具体的には、本書は、デジタルセルラー電気通信ネットワークの移動局（ＭＳ）から基地局（ＢＳ）までのアクセスチャネルの要求に関する。
【背景技術】
【０００３】
（背景）
ＧＥＲＡＮ（ＧＳＭ（登録商標）（グローバルシステムフォーモバイルコミュニケーションズ）ＥＤＧＥ（ＧＳＭ（登録商標）進化型高速データレート）ランダムアクセスネットワーク）では、例えば、情報を交換するため、位置更新を行うため、または接続を開始するために、ランダムアクセスチャネル（ＲＡＣＨ）が、ネットワークからチャネルを要求するように移動局（ＭＳ）によって使用される。論理チャネルであるＲＡＣＨは、アクセスバーストを介して物理チャネル上で輸送される。一般的には、ＧＥＲＡＮネットワーク内において、アップリンク方向での（すなわち、ＭＳから伝送基地局（ＢＴＳ）への）搬送波周波数の少なくとも１つの物理チャネル（タイムスロット数によって特徴付けられ得る、かつタイムスロットと呼ばれ得る）が、ＲＡＣＨに起因する。ダウンリンク方向上の、すなわち、ＢＴＳからＭＳへの対応するチャネルが、ＢＴＳによってサービス提供されるＭＳへのＢＴＳの識別、構成、および利用可能な特徴を表すためにＢＴＳによって使用される、ブロードキャスト制御チャネル（ＢＣＣＨ）であってもよい。
【０００４】
現在、ＲＡＣＨ上で送信されるアクセスバーストに使用される出力電力は、アクセスバーストがネットワークの適切なＢＴＳまたは基地局（ＢＳ）に到達する確率を最大限化するために、ＭＳの最大限の利用可能な出力電力に設定される。ＲＡＣＨの実装およびアクセスバーストの構造に関する詳細が、参照することにより組み込まれる、技術仕様３ＧＰＰ  ＴＳ  ４５．００８で提供されている。
【０００５】
出力電力を選択するための上述のアプローチは、ＭＳが、それが接続しようとするＢＴＳに近い時でさえも、ＭＳが全電力を使用するという効果を有する。これは、ＭＳがＢＳに近いときに、不必要に高い出力電力をもたらし、したがって、無線インターフェース上で付加的な干渉を引き起こし、ＭＳの電力消費を増加させ、（非常に高い受信電力レベルにより）基地局において潜在的な受信機の問題を引き起こし得る。
【０００６】
マシン型通信（ＭＴＣ）デバイス、例えば、スマートメータ等の固定デバイスは、それらのサービング基地局（電気通信ネットワークの最も近い基地局であり得るが、必ずしもそうであるとは限らない）から比較的遠くに位置してもよい。地理的な距離に加えて、ＭＴＣデバイスは、例えば、ビルの地階内において無線ネットワークから遮蔽されている場所に配置されてもよい。このように、（無線リンクの観点から）ＢＳまでのデバイスの「距離」は、地理的な距離によるもの、ならびにデバイス（ＭＳ）とＢＳとの間の無線経路上の障害物によるものであってもよい。そのようなさらに大きい「距離」の結果として、ＭＴＣデバイスは、同じ基地局の比較的近くに位置するデバイスと比較して、受信基地局においてＲＡＣＨの受信信号レベルがより低いという不利点を有し得る。この不均衡は、一般的には、固定ＭＴＣデバイスのチャネルアクセス成功のより低い確率をもたらす。
【０００７】
本書は、これらの問題に対処する。具体的には、本書は、ＧＥＲＡＮ等の無線通信ネットワーク内の特定の基地局によってサービス提供される、異なる移動局のチャネルアクセス成功の確率の平衡を保つという問題に対処する。
【発明の概要】
【課題を解決するための手段】
【０００８】
一側面によれば、ワイヤレスデバイスから基地局へのアップリンク上の初期伝送（アクセスバースト等）の伝送を制御するための方法が説明される。初期伝送は、競合ベースの伝送であってもよく、ユーザ機器またはワイヤレスデバイスの初期伝送が、同じタイムスロットおよび／または同じ物理チャネル（例えば、共通ＲＡＣＨ）内で、別のユーザ機器の初期伝送として起こり得ることを意味する。これは、複数のユーザ機器が同時に（または同じタイムスロット内で）初期伝送を基地局に伝送し得ることを意味する。初期伝送は、進行中の接続（ＧＰＲＳ一時ブロックフロー（ＴＢＦ）等）の一部として、ワイヤレスデバイスに独占的に割り当てられるか、または割り付けられるリソースを使用しない伝送として特徴付けられてもよい。複数の初期伝送は、例えば、以前の伝送の肯定応答が受信されない場合、またはいずれの接続も確立されていない場合に（初期伝送がそのような接続の確立を要求するプロシージャの一部を形成するか否かにかかわらず）、連続的に送信されてもよい。
【０００９】
初期伝送は、ＧＥＲＡＮで使用されるＧＥＲＡＮアクセスバーストであってもよい。一般的には、ＧＥＲＡＮアクセスバーストは、ランダムアクセスチャネル（ＲＡＣＨ）上で伝送される。アクセスバーストは、テールビット、同期シーケンスビット、および／または暗号化ビットを備える、ペイロードを備えてもよい。アクセスバーストは、基礎的ネットワーク、例えば、ＧＥＲＡＮのタイムスロットより短くてもよい。この場合、保護期間は、タイムスロットの長さとアクセスバーストの長さとの差であってもよい。このように、アクセスバーストは、タイムスロットの長さに対応する長さを有する、いわゆる通常バーストとは異なり得る。ＧＥＲＡＮの場合、ワイヤレスデバイスは、ＧＥＲＡＮ移動局であってもよく、および／または基地局は、ＧＥＲＡＮ基地局であってもよい。
【００１０】
ワイヤレスデバイスは、固定デバイス、例えば、固定された場所に設置されたスマート計測デバイスであってもよい。そのような固定ワイヤレスデバイスは、ワイヤレスデバイスから基地局への無線リンクの比較的低い品質を提供する場所に設置され得る。その結果として、そのようなデバイスは、基地局へのアクセスバーストの伝送成功（すなわち、基地局によって受信され、正しく復号される伝送）の低減された確率を有し得る。固定デバイスは、非常にゆっくりと移動する、および／または限定領域内で移動する、デバイスであってもよいことに留意されたい。固定デバイスは、所定の境界内の後続通信セッションのためのタイミング前進（ＴＡ）を維持する、デバイスであってもよい。所定の境界は、基礎的ネットワークのＴＡ粒度に対応してもよい。一例として、ＧＳＭ（登録商標）では、ＴＡ粒度は、１００ｍの移動が、依然として、同じＴＡを使用させることができるようなものである。このように、ワイヤレスデバイスは、速度閾値よりも低い速度で移動してもよく、および／またはワイヤレスデバイスは、領域閾値（例えば、所定の半径）よりも小さい領域内で移動してもよい。
【００１１】
本方法は、ワイヤレスデバイスから基地局へのアップリンク上の無線リンクの品質の表示を決定するステップを含んでもよい。具体的には、本方法は、無線アップリンクの品質を決定するステップを含んでもよい。無線リンクの品質は、ワイヤレスデバイスから基地局までの距離、および／またはワイヤレスデバイスから基地局への無線アップリンク上に存在する障害物、および／またはワイヤレスデバイスから基地局への無線アップリンク上で発生した干渉に依存し得る。本書では、無線アップリンクの品質はまた、（無線リンクの観点から）「距離」とも呼ばれるであろう。さらに、無線アップリンクの品質の表示を決定するための方法は、無線アップリンクの品質の決定に等しく適用される。
【００１２】
無線アップリンクの品質の表示（または無線アップリンクの品質）は、以前の伝送、例えば、ワイヤレスデバイスから基地局へのアップリンク上の１つ以上のバーストの以前の伝送に使用された、１つ以上の（履歴）パラメータに基づいて決定されてもよい。このように、アップリンク上の無線リンクの品質は、履歴または以前の伝送パラメータに基づいて推定されてもよい。アップリンク上の１つ以上のバーストは、アクセスバーストおよび／または通常バーストであってもよい。好ましくは、１つ以上のバーストは、ワイヤレスデバイスから伝送され、対応する基地局によって受信された通常バーストである。
【００１３】
アップリンク上の１つ以上の以前のバーストの伝送に使用された１つ以上の（履歴）パラメータは、電力レベル、変調およびコーディングスキーム、またはタイミング前進のうちの１つ以上であってもよい。すなわち、１つ以上の（履歴）パラメータは、異なるタイプを有してもよい。より詳細に概説されるように、ワイヤレスデバイスから基地局への以前の通信に使用された、電力レベルおよび／または変調およびコーディングスキームおよび／またはタイミング前進は、基地局によって制御されてもよく、それにより、ワイヤレスデバイスへの無線アップリンクの品質についてのフィードバックを提供する。一般的には、このフィードバックは、初期伝送（アクセスバーストであり得る）の伝送成功後、ワイヤレスデバイスと基地局との間の確立された通信（通常バーストを伴い得る）中のみ、利用可能である。
【００１４】
複数のタイプの（履歴）パラメータの組み合わせが、無線アップリンクの品質についての表示（または無線アップリンクの品質）を決定するために使用されてもよい。ある実施形態では、無線リンクの品質についての別個の表示は、各タイプの（履歴）パラメータに基づいて決定され、全体的な表示は、複数の別個の表示を組み合わせることによって決定される。一例として、全体的な表示は、無線リンクの最低または最高品質を示す、別個の表示であってもよい。代替として、別個の表示の平均が、無線リンクの品質の全体的な表示として使用されてもよい。以下では、１つのタイプの（履歴）パラメータに基づいて別個の表示を決定するためのいくつかの方法を概説する。これらの別個の表示は、無線リンクの品質の全体的な表示を提供するように組み合わせられてもよい。
【００１５】
品質または品質の表示の決定は、ワイヤレスデバイスから基地局へのアップリンク上の１つ以上のバーストの以前の伝送に使用された、以前の電力レベルを提供するステップと、以前の電力レベルに基づいて表示を決定するステップとを含んでもよい。比較的低い以前の電力レベルは、比較的高い品質を示してもよく、比較的高い以前の電力レベルは、無線リンクの比較的低い品質を示してもよい。一例として、ワイヤレスデバイスによって使用される可能な電力レベルは、最小から最大の電力レベルに及んでもよい。無線リンクの品質の表示は、最大および／または最小電力レベルに対する以前の電力レベルに基づいてもよい。
【００１６】
無線アップリンクの品質または品質の表示の決定は、アップリンク上の１つ以上のバーストの複数の以前の伝送に使用された、複数の以前の電力レベルを提供するステップと、フィルタを複数の以前の電力レベルに適用するステップと、フィルタリングされた複数の以前の電力レベルに基づいて、表示を決定するステップとを含んでもよい。このように、同じタイプの複数のパラメータが、フィルタを使用して組み合わせられてもよい。一例として、フィルタは、忘却因子を伴う、または伴わない、平均化フィルタ、中央値フィルタ、および最大値フィルタのうちの１つであってもよい。
【００１７】
複数の以前の電力レベルは、所定数の以前に伝送されたバーストに使用された電力レベル、および／または所定の時間間隔中に使用された電力レベルに対応してもよい。一例として、以前の通信中に伝送された、Ｎ個のバーストに使用された電力レベルが考慮されてもよい。代替として、または加えて、複数の通信セッション中に使用された電力レベルが考慮されてもよい。好ましい実施形態では、複数の以前の電力レベルは、例えば、基地局によって伝送される肯定応答情報によって示されるように、成功した伝送、すなわち、基地局によって受信されたバーストの伝送に使用された電力レベルに限定される。
【００１８】
無線アップリンクの品質または品質の表示の決定は、ワイヤレスデバイスから基地局へのアップリンク上の１つ以上のバーストの以前の伝送に使用された、以前の変調およびコーディングスキーム（ＭＣＳ）を提供するステップと、以前の変調およびコーディングスキームに基づいて、表示を決定するステップとを含んでもよい。一例として、ＭＣＳのロバスト性は、無線リンクの品質の表示であってもよく、よりロバストなＭＣＳは、より低い品質を示してもよく、あまりロバストではないＭＣＳは、より高い品質を示してもよい。
【００１９】
（履歴）パラメータとして電力レベルを使用することと同様に、アップリンク上の無線リンクの品質の表示の決定は、アップリンク上の１つ以上のバーストの複数の以前の伝送に使用された、複数の以前の変調およびコーディングスキームを提供するステップを含んでもよい。複数の以前の伝送は、所定数のバーストまたは所定の時間間隔によって特定されてもよい。複数の以前の伝送は、１回以上の以前の通信セッションが起源であってもよい。
【００２０】
表示は、１回以上の以前の通信セッション中に使用された、１つ以上の以前の変調およびコーディングスキームの１つ以上のビットレートに基づいて決定されてもよい。この場合、無線アップリンクの品質の表示の決定は、複数の以前の変調およびコーディングスキームと関連付けられる、複数のビットレートを決定するステップと、フィルタを複数のビットレートに適用するステップと、フィルタリングされた複数のビットレートに基づいて、表示を決定するステップとを含んでもよい。
【００２１】
無線アップリンクの品質（の表示）を決定するステップは、ワイヤレスデバイスから基地局へのアップリンク上の１つ以上のバーストの以前の伝送に使用された、タイミング前進を提供するステップと、以前のタイミング前進に基づいて品質の表示を決定するステップとを含んでもよい。タイミング前進は、ワイヤレスデバイスから基地局への伝搬遅延の表示であり、高いタイミング前進は、無線リンクの低い品質を示してもよく、その逆も同様である。
【００２２】
上記と同様に、アップリンク上の無線リンクの品質（の表示）を決定するステップは、アップリンク上の１つ以上のバーストの複数の以前の伝送に使用された、複数のタイミング前進を提供するステップと、フィルタを複数のタイミング前進に適用するステップと、フィルタリングされた複数のタイミング前進に基づいて、表示を決定するステップとを含んでもよい。
【００２３】
無線アップリンクの品質（の表示）の決定は、基地局から伝送され、ワイヤレスデバイスで受信されるバーストの受信信号レベルを提供するステップを含んでもよい。このように、基地局からワイヤレスデバイスへのダウンリンク上の信号レベルは、アップリンク上の無線リンクの品質の表示として使用されてもよい。比較的低い受信信号レベルは、アップリンク上の無線リンクの比較的低い品質を示してもよく、その逆も同様である。
【００２４】
さらに、基地局にアクセスするためにワイヤレスデバイスで必要とされる、受信信号レベルの最小値が提供されてもよい。受信信号レベルのこの最小値は、ネットワーク内で事前決定されてもよく、および／または基地局からワイヤレスデバイスへ伝送（例えば、ブロードキャスト）されてもよい。この場合、アップリンク上の無線リンクの品質の表示は、受信信号レベルと受信信号レベルの最小値との差に基づいて決定されてもよい。
【００２５】
より具体的には、無線アップリンクの品質（の表示）の決定はさらに、ワイヤレスデバイスが測定するように構成される、受信信号レベルの最大値を提供するステップを含んでもよい。この最大値は、ネットワークによって事前決定され、および／または基地局からワイヤレスデバイスへ伝送（例えば、ブロードキャスト）されてもよい。具体的には、ＭＳ性能要件のためのこの最大値（上限）は、ネットワークの仕様（例えば、３ＧＰＰ技術仕様）で定義されてもよい。次いで、受信信号レベルと受信信号レベルの最小値との差は、受信信号レベルの最大値と受信信号レベルの最小値との差によって正規化されてもよい。このように、表示は、受信信号レベルと受信信号レベルの最小値との正規化された差に基づいて決定されてもよい。
【００２６】
本方法は、無線アップリンクの品質（の表示）に基づいて、ワイヤレスデバイスから基地局までの初期伝送の伝送を制御するための１つ以上の制御パラメータを設定するステップを含んでもよい。伝送を制御するための１つ以上の制御パラメータは、アクセスバーストの伝送に使用される電力レベル、アクセスバーストの再伝送に使用される増加した電力レベル、アクセスバーストの再伝送のための許可された再試行の数、初期伝送の２回の後続の伝送間の待機時間を制御するためのバックオフ時間またはバックオフ時間間隔（後続の初期伝送は相互と異なり得る）のうちの１つ以上であってもよい。このように、複数の制御パラメータが、初期伝送の伝送を制御するために修正されてもよい。
【００２７】
制御パラメータは、伝送の電力レベルであってもよく、制御パラメータを設定する動作は、無線アップリンクの品質（の表示）に基づいて、電力レベルを修正するステップ、すなわち、増加および／または減少させるステップを含んでもよい。一例として、無線リンクの比較的低い品質が示される場合に、より高い電力レベルが設定されてもよい。初期伝送は、設定された電力レベルを使用して伝送されてもよい。初期伝送の伝送に対する肯定応答を受信しなかったことに続いて、後続初期伝送の伝送のための電力レベルが増加させられてもよい。肯定応答は、一般的には、基地局からワイヤレスデバイスへ伝送される。
【００２８】
制御パラメータは、先行初期伝送の伝送に対する肯定応答を受信しないことを条件とする、初期伝送の再伝送のための許可された再試行の数であってもよい。制御パラメータを設定するステップは、無線リンクの品質（の表示）に基づいて、許可された再試行の数を修正するステップ、すなわち、増加および／または減少させるステップを含んでもよい。一般的には、許可された再試行の数は、初期伝送のうちの第１回から数えられる、許可された再試行の数である。
【００２９】
制御パラメータは、最小バックオフ時間から最大バックオフ時間までの範囲のバックオフ時間間隔（または不感時間間隔）であってもよい。最小バックオフ時間は、初期伝送の後続の伝送間の待機時間の下限を特定してもよく、最大バックオフ時間は、後続の初期伝送間の待機時間の上限を特定してもよい。言い換えれば、バックオフ時間は、先行初期伝送に対する肯定応答を受信しないことの影響を受ける、初期伝送の伝送の待機時間を示してもよい。
【００３０】
初期パラメータの設定は、無線アップリンクの品質（の表示）に基づいて、バックオフ時間間隔を増加および／または減少させるステップを含んでもよい。具体的には、バックオフ時間間隔の最大バックオフ時間が修正されてもよい。一例として、無線アップリンクの比較的低い品質が示される場合、バックオフ時間間隔の比較的低い最大バックオフ時間が使用されてもよい。バックオフ時間間隔の下限、すなわち、最小バックオフ時間が、（加えて、または代替として）同様に修正されてもよい。ワイヤレスデバイスで使用される実際のバックオフ時間は、バックオフ時間間隔からランダム値として選択されてもよい。
【００３１】
別の側面によれば、ワイヤレスデバイスから基地局へのアップリンク上の初期伝送（例えば、アクセスバースト）を含む、１回以上の伝送を制御するための方法が説明される。初期伝送、ワイヤレスデバイス、および／または基地局の可能な実施形態については、本書で概説される関連特徴が参照されたい。
【００３２】
本方法は、ワイヤレスデバイスから基地局への伝搬遅延を示す、現在のタイミング前進を提供するステップを含んでもよい。現在のタイミング前進は、ワイヤレスデバイスから基地局への１回以上の以前の伝送中に使用された１つ以上のタイミング前進に基づいて、決定されてもよい。具体的には、現在のタイミング前進は、１回以上の通信セッション中の通常バーストの伝送に使用される１つ以上のタイミング前進から、または任意の他の公知の手段によって決定されてもよい。
【００３３】
本方法は、現在のタイミング前進に基づいて、アクセスタイミング前進を選択するステップを含んでもよい。具体的には、アクセスタイミング前進は、ゼロとは異なるように選択されてもよい。アクセスタイミング前進は、ワイヤレスデバイスから基地局へアクセス要求または初期伝送を送信するために使用される、タイミング前進である。
【００３４】
アクセスタイミング前進を選択するステップは、現在のタイミング前進から、現在のタイミング前進から初期伝送の保護期間の長さをマイナスしたものまでの範囲の一組のタイミング前進値からアクセスタイミング前進を選択するステップを含んでもよい。上記で示されるように、初期伝送の長さは、ネットワーク内で使用されるタイムスロットの長さより短くてもよい。長さの差は、保護期間と呼ばれてもよい。言い換えれば、初期伝送の保護期間は、タイムスロットあたりのシンボルの数と初期伝送のペイロードシンボルの数との差に対応してもよい。
【００３５】
このように、初期伝送の伝送は、現在のタイミング前進によって最大値において、および現在のタイミング前進と保護期間の長さとの間の差によって最小値において、前進させられてもよい。負のアクセスタイミング前進は、アクセスタイミング前進の絶対値による初期伝送の有効遅延に対応することに留意されたい。
【００３６】
アクセスタイミング前進は、現在のタイミング前進からの所定のオフセットを使用して、一組のタイミング前進値から選択されてもよい。この所定のオフセットは、ワイヤレスデバイスに対して固定されてもよい。言い換えれば、アクセスタイミング前進は、現在のタイミング前進に所定のオフセットをプラスしたものに対応してもよく、所定のオフセットは、保護期間の長さを超えない。
【００３７】
代替として、アクセスタイミング前進は、現在のタイミング前進からのオフセットを使用して、一組のタイミング前進値から選択されてもよく、オフセットは、ワイヤレスデバイスに起因するオフセットの所定のホッピングシーケンスから選択される。オフセットの所定のホッピングシーケンスは、１つ以上の他のワイヤレスデバイスに使用される、オフセットの１つ以上の所定のホッピングシーケンスに対して低減された相関関係を有するように設計されてもよい。
【００３８】
代替として、アクセスタイミング前進は、一組のタイミング前進値からランダムに選択されてもよい。
【００３９】
本方法はさらに、アクセスタイミング前進を使用して、アップリンク上で初期伝送を伝送するステップを含んでもよい。これは、ゼロの固定タイミング前進でアクセスバーストを送信する代わりに、複数の初期伝送の衝突の確率を低減させるために、アクセスタイミング前進が本書で説明されるように選択され得ることを意味する。
【００４０】
本方法はさらに、基地局によってサービス提供されるワイヤレスデバイスによって使用される最大タイミング前進の表示を、ワイヤレスデバイスで受信するステップを含んでもよい。この最大タイミング前進は、基地局によってブロードキャストされてもよく、現在基地局によってサービス提供されているワイヤレスデバイスの最大伝搬遅延の表示であってもよい。このように、最大タイミング前進は、セルのサイズ、すなわち、幾何学的寸法の指標であってもよい。
【００４１】
この情報を使用して、現在のタイミング前進は、受信した最大タイミング前進に基づいて決定されてもよい。具体的には、現在のタイミング前進は、最大タイミング前進に対応してもよい。同様に、アクセスタイミング前進は、現在のタイミング前進および受信した最大タイミング前進に基づいて決定されてもよい。一例として、アクセスタイミング前進は、他のワイヤレスデバイスの初期伝送との衝突の確率が低減されるように選択されてもよい。この目的で、他のワイヤレスデバイスが、ゼロのタイミング前進でそれらの初期伝送を伝送すると仮定されてもよい。代替として、または加えて、初期伝送のペイロードの長さが、受信した最大タイミング前進に基づいて、調整され、例えば、増加または減少させられてもよい。こうすることによって、衝突する初期伝送の確率が低減されてもよい。
【００４２】
別の側面によれば、基地局と通信するように構成されるワイヤレスデバイスが説明される。ワイヤレスデバイスは、本書で概説される方法および側面のうちのいずれかを行うように構成されてもよい。さらに、ワイヤレスデバイスは、本書で概説される特徴のうちのいずれかを備えてもよい。
【００４３】
さらなる側面によれば、ソフトウェアプログラムが説明される。ソフトウェアプログラムは、プロセッサ上で実行するため、およびコンピュータデバイス上で実行される時に本書で概説される側面および特徴を実施するために適合される、命令としてコンピュータ可読媒体（有形または別様に非一過性となり得る）上に記憶されてもよい。
【００４４】
別の側面によれば、ソフトウェアプログラムを備える、記憶媒体が説明される。記憶媒体は、メモリ（例えば、ＲＡＭ、ＲＯＭ等）、光学媒体、磁気媒体、および同等物であってもよい。ソフトウェアプログラムは、プロセッサ上で実行するため、およびコンピュータデバイス上で実行される時に本書で概説される側面および特徴を実施するために適合されてもよい。
【００４５】
さらなる側面によれば、コンピュータプログラム製品が説明される。コンピュータプログラム製品は、コンピュータデバイス上で実行される時に本書で概説される側面および特徴を実施するための実行可能な命令を備えてもよい。
【００４６】
本書の特定の側面は、以下の実施例を含む。
【００４７】
一実施例では、ワイヤレスデバイスと基地局との間の１回以上の伝送であって、少なくとも初期伝送を含む、１回以上の伝送を制御するための方法は、ワイヤレスデバイスと基地局との間の無線アップリンクの品質であって、以前の伝送と関連付けられる少なくとも１つのパラメータに基づく品質を決定するステップと、無線アップリンクの決定された品質に基づいて、ワイヤレスデバイスと基地局との間の伝送を制御するための制御パラメータを設定するステップと、初期伝送を伝送するステップとを含む。
【００４８】
一実施例では、制御パラメータは、電力レベルである。
【００４９】
本方法はまた、１回以上の伝送のうちの１回に対する肯定応答を受信しなかったことに続いて、後続の伝送のための電力レベルを増加させるステップを含んでもよい。
【００５０】
任意の以前の側面の方法では、制御パラメータは、許可された再試行の数であってもよい。制御パラメータを設定するステップは、バックオフ時間間隔を設定するステップと、バックオフ時間間隔からのランダム値としてバックオフ時間を選択するステップとを含んでもよい。
【００５１】
初期伝送は、アクセスバーストであってもよい。
【００５２】
任意の以前の側面の方法では、無線アップリンクの品質を決定するために使用される、少なくとも１つのパラメータは、電力レベル、変調およびコーディングスキーム、またはタイミング前進のうちの１つ以上である。
【００５３】
任意の以前の側面の方法では、少なくとも１つのパラメータは、以前の伝送に使用された以前の電力レベルである。品質を決定するステップは、無線アップリンク上の複数の以前の伝送に使用された、複数の以前の電力レベルを提供するステップと、フィルタを複数の以前の電力レベルに適用するステップと、フィルタリングされた複数の以前の電力レベルに基づいて、品質を決定するステップとを含んでもよい。
【００５４】
一実施例では、フィルタは、忘却因子を伴う、または伴わない、平均化フィルタ、中央値フィルタ、および最大値フィルタのうちの１つである。先述の側面では、複数の以前の電力レベルは、所定数の以前に伝送されたバーストに使用された電力レベル、および／または所定の時間間隔中に使用された電力レベルに対応してもよい。複数の以前の電力レベルは、成功した伝送に使用された電力レベルに限定されてもよい。少なくとも１つのパラメータは、以前の伝送に使用された以前の変調およびコーディングスキームであってもよい。品質は、以前の変調およびコーディングスキームのビットレートに基づいて決定されてもよい。加えて、または代替として、品質を決定するステップは、無線アップリンク上の複数の以前の伝送に使用された、複数の以前の変調およびコーディングスキームを提供するステップと、複数の以前の変調およびコーディングスキームと関連付けられる、複数のビットレートを決定するステップと、フィルタを複数のビットレートに適用するステップと、フィルタリングされた複数のビットレートに基づいて、品質を決定するステップとを含んでもよい。
【００５５】
以前の側面のうちのいずれかでは、少なくとも１つのパラメータは、無線アップリンク上の以前の伝送に使用されたタイミング前進であってもよい。加えて、品質を決定するステップは、無線アップリンク上の複数の以前の伝送に使用された、複数のタイミング前進を提供するステップと、フィルタを複数のタイミング前進に適用するステップと、フィルタリングされた複数のビットレートに基づいて、品質を決定するステップとを含んでもよい。
【００５６】
先述の側面のうちのいずれかによれば、無線アップリンク上の以前の伝送は、１つ以上の通常バーストの以前の伝送を含む。
【００５７】
以前の側面のうちのいずれかでは、品質を決定するステップは、基地局からワイヤレスデバイスまでの伝送の受信信号レベルを提供するステップと、基地局にアクセスするためにワイヤレスデバイスにおいて必要とされる、受信信号レベルの最小値を提供するステップと、受信信号レベルと受信信号レベルの最小値との差に基づいて品質を決定するステップとを含む。
【００５８】
品質を決定するステップは、ワイヤレスデバイスが測定するように構成される受信信号レベルの最大値を提供するステップと、受信信号レベルの最大値と受信信号レベルの最小値との差によって、受信信号レベルと受信信号レベルの最小値との差を正規化するステップと、受信信号レベルと受信信号レベルの最小値との正規化された差に基づいて、品質を決定するステップとを含んでもよい。
【００５９】
ワイヤレスデバイスと基地局との間の１回以上の伝送であって、少なくとも初期伝送を含む１回以上の伝送を制御するための例示的方法は、ワイヤレスデバイスから基地局へまでの伝搬遅延を示す現在のタイミング前進を提供するステップと、現在のタイミング前進に基づいてアクセスタイミング前進を選択するステップと、アクセスタイミング前進を使用して初期伝送を伝送するステップとを含んでもよい。
【００６０】
アクセスタイミング前進を選択するステップは、現在のタイミング前進から、現在のタイミング前進から初期伝送の保護期間の長さをマイナスしたものまでの範囲の一組のタイミング前進値からアクセスタイミング前進を選択するステップを含んでもよい。一実施例では、アクセスタイミング前進は、現在のタイミング前進からの所定のオフセットを使用して、一組の値から選択され、所定のオフセットは、ワイヤレスデバイスに対して固定される。別の実施例では、アクセスタイミング前進は、現在のタイミング前進のオフセットを使用して、一組の値から選択され、オフセットは、ワイヤレスデバイスに起因するオフセットの所定のホッピングシーケンスから選択される。所定のホッピングシーケンスは、１つ以上の他のワイヤレスデバイスに使用される１つ以上の所定のホッピングシーケンスに対して低減された相関関係を有するように設計されてもよい。
【００６１】
一実施例では、アクセスタイミング前進は、一組の値からランダムに選択されてもよい。加えて、先述の実施例のうちのいくつかによれば、初期伝送の保護期間は、タイムスロットあたりのシンボルの数および初期伝送のペイロードシンボルの数の差に対応する。本方法はさらに、基地局によってサービス提供されるワイヤレスデバイスによって使用される最大タイミング前進の表示を、ワイヤレスデバイスで受信するステップを含んでもよい。本方法はさらに、受信した最大タイミング前進に基づいて、現在のタイミング前進を決定するステップを含んでもよい。アクセスタイミング前進は、現在のタイミング前進および受信した最大タイミング前進に基づいて選択されてもよい。
【００６２】
上記のある例示的側面の方法はまた、受信した最大タイミング前進に基づいて、初期伝送のペイロードの長さを調整するステップを含んでもよい。本明細書の実施例によれば、初期伝送は、ＧＥＲＡＮで使用されるＧＥＲＡＮアクセスバーストであってもよく、初期伝送は、ＲＡＣＨと呼ばれる、ランダムアクセスチャネル上で伝送されてもよく、初期伝送は、テールビット、同期シーケンスビット、および／または暗号化ビットを備える、ペイロードを備えてもよく、初期伝送は、ＧＥＲＡＮのタイムスロットより短くてもよく、保護期間は、タイムスロットの長さと初期伝送の長さとの差であり、ワイヤレスデバイスは、ＧＥＲＡＮ移動局であってもよく、および／または基地局は、ＧＥＲＡＮ基地局であってもよい。
【００６３】
本明細書で説明されるように、ワイヤレスデバイスは、基地局と通信するように構成されてもよく、ワイヤレスデバイスは、上記で説明される動作および／または側面のうちのいずれかを実施するように構成される。一実施例では、ワイヤレスデバイスは、速度閾値よりも低い速度において、および／または領域閾値よりも小さい領域内で移動する。
【００６４】
本明細書で説明されるように、ソフトウェアプログラムは、プロセッサ上で実行するため、およびコンピュータデバイス上で実行される時に上記で説明される動作および／または側面のうちのいずれかを実施するために適合されてもよい。記憶媒体は、プロセッサ上で実行するため、およびコンピュータデバイス上で実行される時に上記で説明される動作および／または側面を実施するために適合される、ソフトウェアプログラムを含んでもよい。コンピュータプログラム製品は、コンピュータデバイス上で実行される時に上記で説明される動作および／または側面を実施するための実行可能命令を含んでもよい。
【００６５】
本書で概説されるような種々の例示的実施例を含む、方法およびシステムは、単独で、または本書で開示される他の方法およびシステムと組み合わせて使用されてもよいことに留意されたい。さらに、本書で概説される方法およびシステムの全ての側面は、任意に組み合わせられてもよい。具体的には、項目の特徴は、任意に相互と組み合わせられてもよい。
例えば、本発明は以下の項目を提供する。
（項目１）
ワイヤレスデバイス（１００）と基地局（１１０）との間の１回以上の伝送を制御するための方法であって、該１回以上の伝送は、少なくとも初期伝送を含み、
該方法は、
該ワイヤレスデバイス（１００）と該基地局（１１０）との間の無線アップリンクの品質を決定することであって、該品質は、以前の伝送と関連付けられる少なくとも１つのパラメータに基づいている、ことと、
該無線アップリンクの該決定された品質に基づいて、該ワイヤレスデバイス（１００）と該基地局（１１０）との間の該伝送を制御するための制御パラメータを設定することと、
該初期伝送を伝送することと
を含む、方法。
（項目２）
前記制御パラメータは、電力レベルであって、
前記方法は、
前記１回以上の伝送のうちの１回に対する肯定応答を受信しなかったことに続いて、後続の伝送のための該電力レベルを増加させることをさらに含む、項目１に記載の方法。
（項目３）
前記制御パラメータは、許可された再試行の数である、項目１〜２のいずれかに記載の方法。
（項目４）
前記制御パラメータを設定することは、
バックオフ時間間隔を設定することと、
該バックオフ時間間隔からランダム値としてバックオフ時間を設定することと
を含む、項目１〜３のいずれかに記載の方法。
（項目５）
前記無線アップリンクの前記品質を決定するために使用される前記少なくとも１つのパラメータは、電力レベル、変調およびコーディングスキーム、またはタイミング前進のうちの１つ以上である、項目１〜４のいずれかに記載の方法。
（項目６）
前記品質を決定することは、
前記無線アップリンクにおいて複数の以前の伝送に対して使用された複数の以前の電力レベルを提供することと、
フィルタを該複数の以前の電力レベルに適用することと、
該フィルタリングされた複数の以前の電力レベルに基づいて、該品質を決定することと
を含む、項目１〜５のいずれかに記載の方法。
（項目７）
前記フィルタは、
忘却因子を有するか、または有しない平均化フィルタ、
中央値フィルタ、および
最大値フィルタ
のうちの１つである、項目６に記載の方法。
（項目８）
前記品質を決定することは、
前記無線アップリンクにおいて複数の以前の伝送に使用された複数の以前の変調およびコーディングスキームを提供することと、
該複数の以前の変調およびコーディングスキームと関連付けられる複数のビットレートを決定することと、
フィルタを該複数のビットレートに適用することと、
該フィルタリングされた複数のビットレートに基づいて、該品質を決定することと
を含む、項目１〜７のいずれかに記載の方法。
（項目９）
前記品質を決定することは、
前記無線アップリンクにおいて複数の以前の伝送に使用された複数のタイミング前進を提供するステップと、
−フィルタを前記複数のタイミング前進に適用するステップと、
−前記フィルタリングされた複数のビットレートに基づいて、前記品質を決定するステップと
を含む、項目１〜８のいずれかに記載の方法。
（項目１０）
前記品質を決定することは、
前記基地局（１１０）から前記ワイヤレスデバイス（１００）までの伝送の受信信号レベルを提供することと、
該基地局（１１０）にアクセスするために該ワイヤレスデバイス（１１０）において必要とされる前記受信信号レベルの最小値を提供することと、
該受信信号レベルと該受信信号レベルの最小値との差に基づいて、該品質を決定することと
を含む、項目１〜９のいずれかに記載の方法。
（項目１１）
前記品質を決定することは、
前記ワイヤレスデバイス（１００）が測定するように構成されている前記受信信号レベルの最大値を提供することと、
該受信信号レベルと前記受信信号レベルの最小値との差を該受信信号レベルの最大値と該受信信号レベルの最小値との差によって正規化することと、
該受信信号レベルと該受信信号レベルの最小値との該正規化された差に基づいて、該品質を決定することと
を含む、項目１０に記載の方法。
（項目１２）
ワイヤレスデバイス（１００）と基地局（１１０）との間の１回以上の伝送を制御するための方法であって、該１回以上の伝送は、少なくとも初期伝送を含み、
該方法は、
該ワイヤレスデバイス（１００）から該基地局（１１０）までの伝搬遅延を示す現在のタイミング前進を提供することと、
該現在のタイミング前進に基づいて、アクセスタイミング前進を選択することと、
該アクセスタイミング前進を使用して、該初期伝送を伝送することと
を含む、方法。
（項目１３）
アクセスタイミング前進を選択することは、
一組のタイミング前進値から該アクセスタイミング前進を選択することであって、該一組のタイミング前進値は、前記現在のタイミング前進から、該現在のタイミング前進から前記初期伝送の保護期間の長さをマイナスしたものまでの範囲にある、ことと
を含む、項目１２に記載の方法。
（項目１４）
前記初期伝送は、ＧＥＲＡＮにおいて使用されるＧＥＲＡＮアクセスバーストであり、
該初期伝送は、ＲＡＣＨと呼ばれるランダムアクセスチャネルにおいて伝送され、
該初期伝送は、テールビット、同期シーケンスビット、および／または暗号化ビットを備えるペイロードを備えており、
該初期伝送は、該ＧＥＲＡＮのタイムスロットよりも短く、保護期間は、該タイムスロットの長さと該初期伝送の長さとの差であり、
前記ワイヤレスデバイス（１００）は、ＧＥＲＡＮ移動局であり、および／または、
前記基地局（１１０）は、ＧＥＲＡＮ基地局である、項目１〜１３のいずれかに記載の方法。
（項目１５）
基地局（１１０）と通信するように構成されているワイヤレスデバイス（１００）であって、該ワイヤレスデバイス（１００）は、項目１〜１４に記載の方法のうちのいずれかを行うように構成される、ワイヤレスデバイス。
【００６６】
種々の側面が、添付図面を参照して例示的に以下で説明される。
【図面の簡単な説明】
【００６７】
【図１】図１は、基地局においてデータバーストをタイムスロットと整列させるための例示的タイミング前進の使用を図示する。
【図２】図２は、アクセスバーストの例示的構造を図示する。
【図３】図３は、アクセスバーストの例示的伝送に使用されるタイミング前進の変形例を示す。
【図４】図４は、移動局の実装例のブロック図である。
【図５】図５は、移動局と、基地局とを備える例示的ネットワークのブロック図である。
【発明を実施するための形態】
【００６８】
ランダムアクセスチャネル（ＲＡＣＨ）は、衝突検出を伴うが、衝突回避を伴わない、ＧＥＲＡＮ内の共有リソースである。ＲＡＣＨ上のアクセスバーストの伝送は、スロット状ＡＬＯＨＡプロトコルの形態に従って予定に入れられる。データパケット、例えば、アクセスバーストが恣意的な瞬間に伝送される純粋なＡＬＯＨＡプロトコルとは対照的に、スロット状ＡＬＯＨＡプロトコルは、その中でデータパケットを伝送することができるタイムスロットを利用する。ＧＥＲＡＮにおいては、特定の搬送波が８つの物理的搬送波またはタイムスロットに細分され、ＢＴＳから伝送されるデータバーストおよびＢＴＳで受信されるデータバーストは、これらのタイムスロットに整列させられるべきである。
【００６９】
ＭＳと対応するＢＳとの間の伝搬遅延を考慮するために、およびＢＳによってＭＳに伝送されるバーストとＭＳによってＢＳに伝送されるバーストとの整列を確実にするために、ＧＥＲＡＮは、いわゆるタイミング前進（ＴＡ）を利用する。具体的には、トラフィックチャネル（ＴＣＨ）において、または低速付随制御チャネル（ＳＡＣＣＨ）において、ＢＳは、ＢＳがＭＳに送信するバーストに時間整列させられているバーストをＭＳから受信することを予期する。この整列は、ＭＳとＢＳとの相対的位置とは独立しているべきである。この目的で、ＭＳは、それがＢＳから受信するバーストを、時間基準として使用する。一例として、ＭＳは、ＢＳのタイムスロットと同期化するために、ＢＣＣＨ上でＢＳによって伝送されるバーストを使用してもよい。実施形態では、ＭＳは、ＢＳによって提供されるネットワークセル上にとどまっている。
【００７０】
無線経路上のＢＳからＭＳまで、およびＢＳに戻る伝搬遅延を補償するために、ＭＳは、受信したバーストのタイムスロットと比較して、バーストの伝送を前進させる必要があってもよい。前進させられた伝送の値、すなわち、タイミング前進（ＴＡ）は、ＭＳとＢＳとの間の地理的な距離に依存し、現在は、ＢＳによって計算されている。ＢＳは、それが特定のＭＳから受信する伝送（例えば、ＲＡＣＨ伝送、アクセスバースト伝送を含む）に基づいて、特定のＭＳのＴＡを決定する。ＲＡＣＨ伝送は、一般的には、ＴＡ＝０を伴うＭＳによって送信される。このように、ＢＳは、受信したＲＡＣＨ伝送の伝搬遅延を決定することができる。決定されたＴＡは、ＭＳが後続の非ＲＡＣＨ伝送において適切なＴＡを使用することを可能にし、それにより、その伝送されたバーストをＢＳのタイムスロットに整列させるために、ＭＳに伝達される。
【００７１】
タイミング前進の使用は、図１に図示される。ＢＴＳは、バースト２１１をＭＳに伝送する。ＭＳは、遅延したバースト２１２を受信し、バーストの遅延は、ＴＡ／２に、すなわち、タイミング前進の値の半分に対応する。ＭＳによって伝送されるバースト２１３が、最初に伝送されたバースト２１１のタイムスロット構造と整列させられる受信したバースト２１４として、ＢＴＳによって受信されていることを確実にするために、ＭＳは、バースト２１２の受信と比較して、バースト２１３の伝送をオフセットする必要がある。オフセット時間間隔は、ＴＡに対応する。アップリンク（ＵＬ）上およびダウンリンク（ＤＬ）上の信号が同じ経路を辿らない場合があるため、ＵＬ上の伝搬遅延は、ＤＬ上の伝搬遅延とは異なり得ることに留意されたい。これは、一般的には、ＵＬとＤＬとの間の４５ＭＨｚ周波数オフセットによるものである。このように、バースト２１２の遅延は、ＴＡ／２とは異なり得る。
【００７２】
（ＢＳから様々な距離にある）セル内の複数のデバイスからの伝送は、重複せず、好ましくは、ＢＳ時間基準に整列させられて着信することに留意されたい。しかしながら、ＢＳにおける受信機（ＲＸ）と伝送機（ＴＸ）との時間基準が一致する必要はなく、ＢＳにおけるＲＸとＴＸとの時間基準の間に（ＭＳにとってトランスペアレントに）オフセットがあってもよい。
【００７３】
上記で示されるように、ＭＳがＲＡＣＨ上のＢＳにアクセスする必要があるときに、ＭＳは、０のタイミング前進（ＴＡ）値とともにアクセスバーストを送信し、ＢＳからの応答を待つ。ＭＳが応答を受信しなければ、これは、別のＭＳから送信されるアクセスバーストとの伝送されたアクセスバーストの衝突によるものであり得る。ランダム遅延後、ＭＳは、別のアクセスバーストを送信し、基地局から応答を受信するまで、または許可された試行の最大数に達するまで、このプロシージャを繰り返す。
【００７４】
ＭＳの再試行プロシージャは、以下のように記述され得る。
・ＭＳが、ＲＡＣＨ上で最大（Ｍ＋１）のメッセージを送信する。Ｍは、所定数の再試行であり、ＭＳにおいて事前設定されてもよく、またはネットワークからＢＳを介して受信されてもよい。言い換えれば、ＭＳは、第１のアクセスバースト、およびおそらく最大Ｍ個の再試行アクセスバーストを送信する。
・第１のアクセスバーストを送信した後、ＭＳは、ＢＳからの応答をリッスンする。ＭＳがＢＳから有効な応答を受信する場合、アクセスプロシージャが正常に終了する。
・他方で、いずれの応答もＢＳから受信されない場合、ＭＳは、さらなるアクセスバーストを伝送する。さらなるアクセスバーストを送信する前に、ＭＳは、ある数のタイムスロットを待ってもよい。２つの連続アクセスバーストの間で省略される伝送機会（すなわち、タイムスロット）の数は、各ＭＳに特異的となり得る、一組の値から引き出されたランダム値であってもよい。一組の値からの値は、一様確率を有してもよい。
・（Ｍ＋１）個のアクセスバーストを送信した後、ＭＳは、一般的には、タイマーを起動する。ＭＳがＢＳから応答を受信する前にタイマーが期限切れになった場合、プロシージャは不成功に終わる。
【００７５】
図２は、ＧＥＲＡＮにおいて使用されるアクセスバースト２００の例示的構造を図示する。上記で示されるように、アクセスバーストは、ランダムアクセスに対して使用され、第１のアクセス時に（または別のＢＳからのハンドオーバ後に）ＢＳで使用されるタイミング前進を認知していない場合がある、移動局からのバースト伝送に応じるために、通常バーストと比較して、より長い保護期間（６８．２５ビット持続時間または２５２μｓ）を備える。アクセスバースト２００は、拡張テールビット２０１と、同期シーケンス２０２と、暗号化ビット２０３と、テールビット２０４と、拡張保護期間２０５とを備える。アクセスバースト２００の異なるフィールドの長さおよびコンテンツが、表１で提供される。
【００７６】
【表１】
0005669956.tif 000002
注記１：「拡張テールビット」２０１は、以下の状態、（ＢＮ０，ＢＮ１，Ｂ２，．．．，ＢＮ７）＝（０，０，１，１，１，０，１，０）を伴う変調ビットとして定義される。注記２：「同期シーケンスビット」２０２は、以下の状態、（ＢＮ８，ＢＮ９，．．．，ＢＮ４８）＝（０，１，０，０，１，０，１，１，０，１，１，１，１，１，１，１，１，０，０，１，１，０，０，１，１，０，１，０，１，０，１，０，０，０，１，１，１，１，０，０，０）を伴う変調ビットとして定義される。注記３：「テールビット」２０４は、以下の状態、（ＢＮ８５，ＢＮ８６，ＢＮ８７）＝（０，０，０）を伴う変調ビットとして定義される。暗号化ビット２０３は、参照することにより組み込まれる、技術仕様３ＧＰＰ  ＴＳ  ４５．００３で定義される。
【００７７】
ＲＡＣＨを伝送するためのアクセスバーストが、最大電力で送信されるという事実により、基地局に近いＭＳは、ＢＳからさらに遠くにあるＭＳよりも基地局から応答を得る高い可能性を有する。いずれの衝突も起こらない場合でさえも、より高い信号レベルで受信される伝送は、一般的には、より低い信号レベルで受信される伝送よりも高い確率で正しく復号されるであろう。近いＭＳからと遠いＭＳからとのアクセスバーストの間に衝突がある場合において、基地局は、しばしば、近くのＭＳのＲＡＣＨを復号し、遠くのＭＳからのＲＡＣＨを無視することが可能となるであろう。ＭＳが通常は移動しているため、所与のＭＳにとってのＢＳへの近接性というこの利点は、一般的には、一時的にしか存在せず、平均で、チャネルアクセスプロシージャの実施に有意な影響を及ぼさない。しかしながら、サービングＢＳから比較的遠くにある固定された場所における固定ＭＳは、ＢＳからＲＡＣＨ伝送への応答を受信する繰り返しより低い確率を有してもよい。このように、ＲＡＣＨ伝送および肯定応答のための改良されたプロシージャの必要性がある。
【００７８】
ＧＥＲＡＮネットワークは、アップリンク（ＵＬ）電力制御の機能性を提供してもよい。電力制御機能の目的は、接続のサービスの品質を維持している間の干渉レベルの低減である。これは、エアインターフェース上のスペクトル効率および能力の増加をもたらす。加えて、または代替として、ＵＬにおける電力制御は、ＭＳの電力消費を削減するために使用されてもよい。
【００７９】
ＵＬ電力制御の原理は、良好な値の範囲、すなわち、ある最小電力レベルおよび／または品質閾値を超える範囲内において、ＢＳにおける受信電力レベルおよび／または受信リンク品質を保つことである。電力レベルおよび／または接続の品質が、これらの閾値を所定の値だけ超えることが検出された場合、ＢＳは、伝送電力レベルを下げるように伝送ＭＳに命令してもよい。言い換えれば、ＢＳの電力制御は、ＭＳにおいてある伝送電力レベルを命令することを含む。一般的には、ＧＥＲＡＮネットワークのＭＳは、ＵＬ電力制御機能性を提供し、ＢＳでの実装が、随意に提供されてもよい。ＧＥＲＡＮでは、アップリンク電力制御は、ＢＳからＭＳに送信されるコマンドを用いて実装される。言い換えれば、ＵＬ電力制御は、閉ループ電力制御である。ＵＬ電力制御機能性は、主に、音声接続、すなわち、音声トラフィックチャネル（ＴＣＨ）との関連で使用される。
【００８０】
代替として、またはアップリンク上の伝送電力を制御することに加えて、変調およびコーディングスキーム（ＭＣＳ）が、ＭＳにおいて修正されてもよい。データのビットレートは、使用されるコーディングスキームに依存する。ＧＰＲＳが、４つのコーディングスキーム（ＣＳ−１から４）を使用する一方で、ＥＤＧＥは、９つの変調およびコーディングスキーム（ＭＣＳ−１から９）を使用する。フルレートチャネルにおけるパケット交換データの伝送のための可能なビットレートが、表２に記載される。
【００８１】
【表２】
0005669956.tif 000003
コーディングスキームは、それらのロバスト性が異なり、より高い帯域幅を提供する、あまりロバストではないコーディングスキームは、一般的には、伝送基地局（ＢＴＳ）の付近で利用可能であり、より低い帯域幅を提供する、よりロバストなコーディングスキームは、ＭＳがＢＴＳまでのさらなる距離にある時に依然として利用可能である。このように、ＢＳが、それぞれの閾値を所定の値だけ超える受信電力レベルおよび／または品質を決定する場合、ＢＳは、より高いビットレートを可能にする、あまりロバストではないＭＣＳに切り替わるようにＭＳに命令してもよい。
【００８２】
上記で示されているように、それらのサービング基地局から比較的遠くに位置する、スマートメータ等の固定デバイスは、一般的には、同じ基地局の比較的近くに位置するデバイスと比較して、この基地局においてＲＡＣＨのより低い受信信号レベルという不利点を有する。一般的には、サービング基地局は、固定デバイスの最も近い基地局であるが、ネットワーク管理側面により、必ずしもそうではない場合がある。
【００８３】
「距離」、ならびに「近い」および「遠い」という用語は、必ずしも基地局に対するＭＳの地理的な場所を特徴付けるわけではないことに留意されたい。用語はむしろ、無線リンクの性質を表す。基地局までの比較的近い地理的距離に位置するが、ビルの地階にあるＭＳは、無線リンクを考慮して、より大きい地理的距離にある見通し線無線リンクを伴うＭＳよりもその基地局から遠くにあり得る。これは、しばしば、ビルの地階に位置し、したがって、サービングＢＴＳまで（無線リンクの観点から）「遠い距離」にあるスマートメータ等の固定デバイスに関する特定の問題である。
【００８４】
特定の固定デバイスが移動しないという事実により、それは、「より短い無線リンク距離」を有する他の移動局に対して継続的に不利な立場にある。この不均衡は、特定の固定デバイスのチャネルアクセス成功のより低い確率をもたらす。
【００８５】
この不均衡の問題に対処するための可能な方法は、チャネルアクセスを要求するためにＭＳによって使用される電力レベルの基礎を、ＭＳからＢＳまでの距離に置くことであってもよく、距離という用語は、ＭＳからＢＳまでの無線リンクの品質の表示であると理解される。この目的では、ＭＳの「近いこと」または「遠いこと」は、ＭＳによって推定され、修正されたＲＡＣＨ伝送アプローチのためのパラメータとして使用されてもよい。ＭＳからＢＳまでの「距離」の推定値は、以下のアプローチのうちの１つ以上に基づいてもよい。
【００８６】
（以前の電力レベルに基づく推定）
ＭＳからＢＳまでの「距離」は、１回以上の最後のアップリンクアクティビティに使用された、アップリンクにおける命令された電力レベルに基づいてもよい。言い換えれば、ＭＳは、ＢＳとの以前の通信中にアップリンク上で使用された電力レベルを決定する。一般的には、この１つ以上の電力レベルは、上記のＵＬ電力制御スキームの結果としてＢＳによって命令されている。好ましい実施形態では、「距離」を推定するために使用される、１つ以上の電力レベルは、成功した伝送中に使用される電力レベルに限定される。このように、以前のアップリンク伝送の伝送電力レベルは、ＭＳからＢＳまでの「距離」の表示を提供してもよい。一般的には、アップリンク上の使用された電力レベルが高いほど、ＭＳからＢＳまでの「距離」が大きいと言われ得る。
【００８７】
（以前の変調／コーディングスキーム（ＭＣＳ）に基づく推定）
代替として、または加えて、ＭＳは、最後の命令されたＵＬ  ＭＣＳまたは最後の命令されたＵＬ  ＭＣＳのシーケンスに基づいて、ＭＳからＢＳまでの「距離」を推定することができる。これは、特に、パケットデータ接続および／または音声（ＡＭＲ）接続に関連し、ＢＳは、ＭＳからのアップリンク接続の電力レベル／品質に従って、ＭＣＳ（およびその結果としてビットレート）を修正するようにＭＳに命令する。一般的には、他の全てが同じならば、あまりロバストではないＭＣＳがＢＳによって命令されるという事実は、ＭＳからＢＳまでのより小さい「距離」を示すと言われ得る。ＡＭＲを使用する音声接続の場合、ＵＬ上の１回以上の最後の通信で使用されたコーデックモード（すなわち、ＡＭＲモード）が、ＭＳからＢＳまでの「距離」を推定するために使用されてもよい。
【００８８】
（受信セル信号レベルに基づく推定）
代替として、または加えて、ＭＳからＢＳまでの「距離」は、ＢＳからの受信信号レベル（ＲＸＬＥＶ）とそのセル内の最小信号レベル（ＲＸＬＥＶ＿ＡＣＣＥＳＳ＿ＭＩＮ）との間の差に基づいて推定されてもよい。後者の情報は、サービングＢＴＳによって（例えば、ＢＣＣＨを介して）ブロードキャストされてもよい。このように、ＭＳからＢＳまでの「距離」を示す近接性因子（ＮＮＦ）は、
【００８９】
【数１】
0005669956.tif 000004
のように推定されてもよく、
・近接性因子ＮＮＦは、ＭＳからＢＳまでの相対的距離の推定値を提供する。
・ＲＸＬＥＶは、単一のサンプルまたは複数の測定値について平均化されるかのいずれかのような、ＭＳにおけるＢＳ信号の受信電力レベルである。
・ＲＸＬＥＶ＿ＡＣＣＥＳＳ＿ＭＩＮは、ネットワークにアクセスするために必要とされる、ＭＳにおける最小受信信号電力レベルである。
・ＲＸＬＥＶ＿ＭＡＸは、任意のＭＳが測定するように要求される、最大信号強度である（一般的には、−４８ｄＢｍ）。
【００９０】
ＭＳからＢＳまでの「距離」のこの推定は、ダウンリンク方向における経路の品質の測定に基づく。ＧＥＲＡＮにおいて使用される４５ＭＨｚの二重距離に起因して、すなわち、アップリンク上の周波数帯とダウンリンク上の周波数帯との間の周波数の差に起因して、ダウンリンクチャネル条件のパラメータに基づくアップリンクチャネルの「距離」における推定値は、確実ではなくなり得る。これは、両方向に対して使用される異なる周波数帯に起因して、干渉およびマルチパス条件が、アップリンク上とダウンリンク上とで異なり得るという事実によるものである。
【００９１】
（以前のＴＡ値に基づく推定）
上記で概説されているように、タイミング前進（ＴＡ）パラメータは、ＢＳとＭＳとの間の無線リンク上の伝搬遅延を補償するために使用される。具体的には、ＢＳにおいて受信されるバーストが、ＢＳから伝送されるバーストのタイムスロットと整列させられていることを確実にするために、ＭＳは、（ＢＳから受信されたバーストのタイミングに対して）ＴＡの値に対応する時間間隔によって、ＢＳへのバーストの伝送を前進させる。このように、ＴＡ値は、（無線リンクの観点から）ＭＳからＢＳまでの「距離」にも影響を及ぼす、ＢＳとＭＳとの間の地理的な距離の指標である。ＢＳは、「ＴＡオフセット」を使用してもよく、つまり、ＭＳからの伝送の受信を、その伝送に使用されるものからオフセットされる時間基準に整列させてもよい。この場合、アップリンク通信セッション中にＭＳに信号伝達されるＴＡは、ＴＡオフセットが使用されなかった場合に信号伝達されるであろうものとは異なり得る。割り当てられたＴＡ値に基づいて、ＭＳからＢＳまでの「距離」を決定する際にＭＳを支援するために、ＢＳは、そのようなオフセットが使用されるかどうか（および使用される場合はオフセットの値）を（例えば、ブロードキャストまたはポイントツーポイント信号伝達によって）示してもよい。
【００９２】
ＭＳからＢＳまでの「距離」の上述の推定値、ならびに他の推定値は、「距離」の全体的な推定値を提供するために、単独で、または任意の組み合わせで使用されてもよい。ＭＳからＢＳまでの「距離」、すなわち、アップリンク上の「距離」が推定されることに留意されたい。上記で概説されるように、このＵＬ「距離」は、（無線リンクの観点から）ダウンリンク（ＤＬ）「距離」とは異なり得る。
【００９３】
推定「距離」に基づいて、ＭＳからＢＳまでのＲＡＣＨ伝送のための伝送電力が、以下のように決定されてもよい。ＲＡＣＨ上で伝送されるアクセスバーストのための電力レベルは、ＢＳがＭＳから遠い「距離」にあると推定される場合に、基準電力レベルと比較して増加させられてもよい。言い換えれば、推定「距離」が距離閾値を上回る場合、アクセスバーストを伝送するための電力レベルが増加させられてもよい。代替として、または加えて、ＲＡＣＨ伝送のための伝送電力は、ＢＳがＭＳから近い「距離」にあると推定される場合に、減少させられてもよい。言い換えれば、ＭＳからＢＳまでの推定「距離」が（おそらく異なる）距離閾値を下回る場合、ＲＡＣＨ伝送のための電力レベルが減少させられてもよい。このように、ＲＡＣＨ伝送のための電力レベルは、ＭＳからＢＳまでの「距離」に応じて設定されてもよい。その結果として、ＢＳまでの異なる「距離」にある、異なるＭＳのＲＡＣＨ伝送成功の確率を調和させることができる。
【００９４】
ＲＡＣＨ伝送のための上述の「距離」依存性電力レベル管理は、種々の方法で修正および／または改善されてもよい。修正および／または改善は、独立して、または相互に組み合わせて使用されてもよい。一例として、ＭＳは、所定のオフセットを、上述の推定値に基づいて決定される電力レベルに適用してもよい。そのようなオフセットの値は、事前に定義され、基地局によって（例えば、ＢＣＣＨを介して）ブロードキャストされ、またはポイントツーポイント基準でＭＳに伝達されることができる。ＲＡＣＨ伝送のための決定された電力レベルが低すぎない、および／または高すぎないことを確実にするために、すなわち、最低限のチャネルアクセス性能を確実にするために、および／またはＭＳ電力を制限するか、あるいは特定のＭＳによる他のＭＳの遮蔽を回避するために、所定のオフセットを使用することができる。このように、基地局は、推定電力レベルよりも高いか、または低い電力レベルで伝送するようにＭＳに命令し、それにより、アクセスプロシージャのある制御を有してもよい。一例として、基地局は、高い所定のオフセットを設定することによって、電力レベル推定（例えば、電力レベル低減）を（一時的に）無効にしてもよい。
【００９５】
実施形態では、ＭＳは、ＭＳからＢＳまでの「距離」の推定値を決定するために、以前に使用された出力電力レベルのフィルタリングを適用し得る。そのようなフィルタリング方法の実施例は、（忘却因子を伴うか、または伴わない）移動平均、最後のＮ個のデータブロックに、または最後のＴ秒の間に使用された平均または最大電力レベル、あるいは送信されたデータブロックおよび経過した時間の組み合わせである。このように、「距離」の推定値は、複数のフィルタリングされた以前の電力レベル値に基づいて決定されてもよい。
【００９６】
実施形態では、ＭＳは、定義された数Ｎの不成功の試行後に、ＲＡＣＨ伝送のための電力レベルを増加させるように構成される。電力レベルは、事前定義された値だけ増加させられてもよい。電力レベルの増加は、各再試行に対して行われてもよい。一例として、応答がないことにより、アクセス試行が失敗した場合、同じ電力が最初の繰り返されるアクセス試行に使用されてもよく、より多くの繰り返しがセル内で許可される場合、出力電力は、残りのアクセス試行のために、所定の値または信号伝達された値だけ上昇させられてもよい。このように、ＲＡＣＨ伝送成功の確率が、再試行のたびに増加し得る。
【００９７】
ＢＳによってサービス提供される、異なるＭＳのＲＡＣＨ伝送成功の確率を調和させることへのさらなるアプローチは、修正された再試行アルゴリズムの使用であってもよい。再試行アルゴリズムは、「近い」ＭＳと「遠い」ＭＳとの間のＲＡＣＨ伝送の成功率の平衡を保つ方法で修正されてもよい。例えば、「近い」ＭＳは、より少ない再試行を許可され得るか、および／または次のアクセスバーストを送信する前の不成功の試行後により長く待つ必要があり得る。ＲＡＣＨ伝送のための修正された再試行アルゴリズムは、独立して、または本書で概説される他の方法と併せて使用されてもよい。さらに、ＭＳからＢＳまでの「距離」は、本書で概説される推定方法のうちのいずれかに従って決定されてもよい。
【００９８】
再試行アルゴリズム内には、「近い」ＭＳと「遠い」ＭＳとの間のＲＡＣＨ伝送の成功確率の平衡を保つように適合することができる、以下の２つのパラメータ
・Ｍ−許可された再試行の数、および／または  
・ＲＡＣＨ伝送の２回の連続試行の間で、いくつの潜在的伝送スロットが省略されるかを定義するランダム値
がある。
【００９９】
これら２つのパラメータは、以下のように修正することができる。許可された再試行の数Ｍは、「近い」ＭＳに対して削減されてもよい。許可された再試行の数の削減は、ＭＳからＢＳまでの「距離」に関係し得る。代替として、または加えて、２回の連続ＲＡＣＨ伝送の間の距離依存性不感時間（ＤＴｄｉｓｔ）が設定されてもよい。最短不感時間がランダムに生成された値であり得るレガシー再試行プロシージャの最短不感時間に基づいて、最短不感時間は、ＭＳからＢＳまでの「距離」に従って増加および／または減少させられてもよい。言い換えれば、２回の連続ＲＡＣＨ伝送の間の不感時間のランダムに生成された値は、ＭＳからＢＳまでの「距離」に従って増加および／または減少させられてもよい。一般的に言えば、ランダムな「不感時間」またはバックオフ時間値が引き出される、分布を定義するために使用されるパラメータは、このようにして変化させられてもよい。
【０１００】
代替として、または上記で概説される方法に加えて、ＲＡＣＨ伝送の成功率は、アクセスバーストの伝送のための偽の初期タイミング前進を設定することによって増加させられてもよい。アクセスバーストにＴＡ＝０を常に使用する代わりに、ＭＳは、可変ＴＡを使用してもよい。ＭＳは、以前の伝送から、その真のＴＡを認知してもよく、そのため、隣接タイムスロットへの干渉を引き起こすことなく、アクセスバーストの伝送をどれだけ偏移できるかによって認知してもよい。ＭＳは、最後の伝送の位置から離れる方向に移動したことを決定した場合、および同じ基地局にアクセスしていることを決定した場合、その真のＴＡを認知してもよい。具体的には、固定ＭＳは、以前の伝送から、その真のＴＡを認知してもよい。
【０１０１】
真のＴＡを認知するときに、アクセスバーストを伝送するためのＴＡは、各ＭＳに特異的であり得る間隔で、ランダムに選択されてもよい。代替として、ＴＡは、アクセスバーストの受信がタイムスロットの第１および第２の半分のいずれか一方で（交互等で）起こるように選択されてもよい。アクセスバーストの伝送は、（小さい）付加的なランダムオフセットを伴って、または伴わずに起こってもよい。代替として、ＴＡの選択は、「ＴＡホッピングシーケンス」と呼ばれ得る、定義されたパターンに従ってもよい。
【０１０２】
上記で示されるように、ＭＳは、例えば、以前の伝送、およびその位置がその間に有意に変化しなかったという知識から、その実際のＴＡ値を認知すると仮定される。これは、一般的には、固定ＭＳの場合である。ＭＳが、その真のタイミング前進値ＴＡｔｒｕｅを認知している場合、隣接する前のタイムスロットへの干渉を引き起こすことなく、（ＴＡ＝０の代わりに）このＴＡ値を用いてアクセスバーストを送信することができる。同様に、隣接する後のタイムスロットへの干渉を引き起こすことなく、ＴＡｔｒｕｅシンボル期間である６８．２５だけ伝送を遅延させることができる。これは、ＧＥＲＡＮタイムスロットの長さが１５６．２５個のシンボルである一方で、拡張保護期間を伴わないアクセスバーストの長さが８８個のシンボルであるという事実によるものである。実施形態では、Ａｔｒｕｅの最大値は６３である。
【０１０３】
これは、ＴＡｔｒｕｅのタイミング前進を用いて伝送されるアクセスバースト３０１が示されるている図３に図示される。アクセスバースト３０１は、ペイロードセクション３０２と、拡張保護セクション３０３とを備える。ＴＡｔｒｕｅのタイミング前進でアクセスバースト３０１を伝送するときに、アクセスバースト３０１のペイロードセクション３０２は、タイムスロットＮ（参照数字３１２）内のＢＴＳに到達することが分かる。以前のタイムスロットＮ−１（参照数字３１１）および後続タイムスロットＮ＋１（参照数字３１３）への干渉がない。同様に、ペイロードセクション３０５と、拡張保護セクション３０６とを備えるアクセスバースト３０４が、ＴＡｔｒｕｅ−６８（またはＴＡｔｒｕｅ−６８．２５）のタイミング前進で伝送される場合、ペイロードセクション３０５は、タイムスロットＮ（参照数字３１２）内のＢＴＳに到達し、以前のタイムスロットＮ−１（参照数字３１１）および後続タイムスロットＮ＋１（参照数字３１３）への干渉がないことが分かる。
【０１０４】
アクセスバースト３０１を送信するために、ＭＳは、セット［ＴＡｔｒｕｅ，ＴＡｔｒｕｅ−６８．２５］から同じＴＡ値を常に使用してもよい。代替として、ＭＳは、セット［ＴＡｔｒｕｅ，ＴＡｔｒｕｅ−６８．２５］から一様確率でランダム値を選択してもよい。代替として、ＭＳは、（周波数ホッピングに使用されるホッピングシーケンスと同様に）事前定義されたシーケンス後に値を選択してもよい。事前定義されたシーケンスは、ＢＴＳによってサービス提供される異なるＭＳに対して異なり得る。異なるＭＳによって使用される異なる事前定義されたシーケンスは、相互に対して直交してもよい。言い換えれば、異なる事前定義されたシーケンスは、異なるＭＳによって送信されるアクセスバーストの間の衝突を低減させるか、または最小化するように設計されてもよい。
【０１０５】
ＭＳからアクセスバーストを受信した後に、ＢＳは、ＴＡ値についてＭＳに知らせることに留意されたい。ＢＳは、一般的には、アクセスバーストがＴＡ＝０を用いてＭＳによって送信されたと仮定するため、ＭＳは、それがＢＳから受信するＴＡ値を、アクセスバーストを送信するためにＭＳが使用した実際のＴＡ値によって補正する必要があってもよい。次いで、補正されたＴＡ値は、ＭＳからＢＳへの後続の通信のために使用されてもよい。ＭＳは、その実際のＴＡ値（すなわち、ＭＳがそのアクセスバーストにＴＡ＝０を使用した場合にＢＳが信号伝達したであろう値）をネットワークに知らせることなく、後続の通信を続けてもよい。いくつかの実施形態では、ＭＳは、その実際のＴＡ値をネットワークに知らせる、またはそのアクセスバーストにゼロではないＴＡ値を使用したことを示す。
【０１０６】
偽のＴＡ値を使用するアプローチの有益性は、「衝突」アクセスバースト３０１、すなわち、同じタイムスロット３１２内のＢＳに到達する、異なるＭＳからのアクセスバースト３０１のペイロードセクション３０２が、時間的に重複しない確率を増加させることである。このアプローチを使用することによって、少なくとも、ペイロードセクション３０２の重複の確率が低減させられることを達成できる。その結果として、（衝突アクセスバーストのうちのいずれも受信されないよりもむしろ）衝突アクセスバースト３０１のうちの少なくとも１つが、ＢＳで正しく受信されるであろう確率が、増加させられてもよい。全体で、アクセスバーストの伝送に使用されるタイミング前進を修正することによって、他のＭＳのアクセスバーストとの重複の確率を低減させる、または最小化するために、アクセスバーストを伝送するための許容瞬間が選択されると言われ得る。
【０１０７】
アクセスバーストの伝送のための時間前進を選択する時に使用され得る、さらなるオプションとして、ＢＳは、その最大限の一般的なＴＡの表示、例えば、ＢＳによって現在サービス提供されているＭＳのうちのいずれかに割り当てられている最大ＴＡの表示を伝送してもよい。この情報は、ＢＣＣＨを介してブロードキャストされてもよい。このように、特定のＭＳは、現在のセル内の最大限の使用されたＴＡ値を認識してもよい。この知識は、アクセスバーストの伝送のために特定のＭＳによって使用されるＴＡを調整するために使用することができる。具体的には、特定のＭＳによって使用されるＴＡは、レガシーＲＡＣＨ伝送と、すなわち、ＴＡ＝０での伝送との重複の確率を低減させる、または最小化するために調整されてもよい。代替として、または加えて、特定のＭＳによってＢＳに伝送されるアクセスバーストの長さは、複数のＭＳによって送信される複数のアクセスバーストの重複の確率を低減させる、または最小化するために修正されてもよい。一例として、セル内で使用される最大限の一般的なＴＡが低い場合には、全てのレガシーデバイス、すなわち、ＴＡ＝０を用いてＲＡＣＨ上で伝送するデバイスが、正しいＴＡに非常に近いそれらのアクセスバーストを伝送するであろう（正しいＴＡが低く、したがって、ＴＡ＝０に近いため）。
【０１０８】
さらに、セル内で使用される最大の一般的なＴＡに関する情報は、ＴＡｔｒｕｅの値の表示として、すなわち、特定のＭＳの真のタイミング前進値についての情報の表示として使用されてもよい。一例として、セル内で割り当てられたＴＡは、通常、低く、すなわち、ＢＳによって伝達される最大の一般的なＴＡが低い場合には、特定のＭＳは、アクセスバーストを伝送するために使用されるＴＡに有意なオフセットを追加するときでさえも、伝送されたアクセスバーストがＢＴＳによって受信されたときにタイムスロット境界を越える可能性が低いという表示を有する。
【０１０９】
タイミング前進の選択は、アクセス試行の相対的優先順位に基づいてもよい。例えば、低い優先順位または待ち時間耐性伝送（あるいは低い優先順位または待ち時間耐性データの転送と関連付けられるアクセスバースト伝送）は、ＢＳが（レガシーデバイスからの伝送を含む）他の伝送よりも後で伝送をタイムスロット内で受信するように、タイミング前進を用いて送信されてもよい。これは、たとえ低い優先順位アクセスバースト／伝送が同じタイムスロット中に受信されたとしても、ＢＳが低くない優先順位アクセスバーストまたは伝送の復号に成功することを可能にしてもよい。ＭＳは、全てのアクセスバーストを低優先順位バーストとして送信するように構成されてもよい（例えば、センサデバイス等の特定の機能専用であるデバイス）。
【０１１０】
ここで図４を参照すると、例えば、本開示で説明される方法のうちのいずれかを実装し得る移動局、ユーザ機器、またはワイヤレスデバイス１００のブロック図が示されている。ワイヤレスデバイス１００は、例示目的で示されているにすぎないことを理解されたい。処理デバイス（マイクロプロセッサ１２８）は、キーボード１１４とディスプレイ１２６との間に連結されるものとして概略的に示されている。マイクロプロセッサ１２８は、ユーザによるキーボード１１４上のキーの作動に応答して、ディスプレイ１２６の動作、ならびにワイヤレスデバイス１００の全体的な動作を制御する。
【０１１１】
ワイヤレスデバイス１００は、種々のサイズおよび形状（クラムシェル筐体構造を含む）をとり得る筐体を有する。キーボード１１４は、テキスト入力と電話入力との間で切り替えるためのモード選択キー、あるいは他のハードウェアまたはソフトウェアを含んでもよい。
【０１１２】
マイクロプロセッサ１２８に加えて、ワイヤレスデバイス１００の他の部品が概略的に示されている。これらは、通信サブシステム１７０、短距離通信サブシステム１０２、一組のＬＥＤ１０４、一組の補助Ｉ／Ｏデバイス１０６、シリアルポート１０８、スピーカ１１１、およびマイクロホン１１２を含む、他の入力／出力デバイスとともに、キーボード１１４およびディスプレイ１２６、ならびにフラッシュメモリ１１６およびランダムアクセスメモリ（ＲＡＭ）１１８を含むメモリデバイス、および他のデバイスサブシステム１２０を含む。ワイヤレスデバイス１００は、ワイヤレスデバイス１００の能動要素に電力供給するバッテリ１２１を有してもよい。ワイヤレスデバイス１００は、いくつかの実施形態では、音声およびデータ通信能力を有する、双方向無線周波数（ＲＦ）通信デバイスである。加えて、ワイヤレスデバイス１００は、いくつかの実施形態では、インターネットを介して他のコンピュータシステムと通信する能力を有する。
【０１１３】
マイクロプロセッサ１２８によって実行されるオペレーティングシステムソフトウェアは、いくつかの実施形態では、フラッシュメモリ１１６等の持続性記憶部の中に記憶されるが、読取専用メモリ（ＲＯＭ）または同様の記憶要素等の他のタイプのメモリデバイスの中に記憶されてもよい。加えて、システムソフトウェア、特定のデバイスアプリケーション、またはそれらの部品は、ＲＡＭ１１８等の揮発性記憶部に一時的にロードされてもよい。ワイヤレスデバイス１００によって受信される通信信号もまた、ＲＡＭ１１８へ記憶されてもよい。
【０１１４】
マイクロプロセッサ１２８は、そのオペレーティングシステム機能に加えて、ワイヤレスデバイス１００上でソフトウェアアプリケーションの実行を可能にする。音声通信モジュール１３０Ａおよびデータ通信モジュール１３０Ｂ等の基本デバイス動作を制御する、所定の一組のソフトウェアアプリケーションが、製造中にワイヤレスデバイス１００上にインストールされてもよい。加えて、個人情報マネージャ（ＰＩＭ）アプリケーションモジュール１３０Ｃもまた、製造中にワイヤレスデバイス１００上にインストールされてもよい。ＰＩＭアプリケーションは、いくつかの実施形態では、Ｅメール、カレンダーイベント、音声メール、予約、およびタスク項目等のデータ項目を整理および管理することが可能である。ＰＩＭアプリケーションはまた、いくつかの実施形態では、無線ネットワーク１１０を介してデータ項目を送信および受信することも可能である。いくつかの実施形態では、ＰＩＭアプリケーションによって管理されるデータ項目は、デバイスユーザの対応するデータ項目が記憶された、またはホストコンピュータシステムと関連付けられた状態で、無線ネットワーク１１０を介して、シームレスに統合され、同期され、更新される。同様に、別のソフトウェアモジュール１３０Ｎとして図示される付加的なソフトウェアモジュールが、製造中にインストールされてもよい。
【０１１５】
データおよび音声通信を含む通信機能は、通信サブシステム１７０を通して、およびおそらく短距離通信サブシステム１０２を通して果たされる。通信サブシステム１７０は、受信機１５０と、伝送機１５２と、受信アンテナ１５４および伝送アンテナ１５６として図示される１つ以上のアンテナとを含む。加えて、通信サブシステム１７０はまた、デジタル信号プロセッサ（ＤＳＰ）１５８等の処理モジュールと、局所発振器（ＬＯ）１６０とを含む。伝送機１５２および受信機１５０を有する通信サブシステム１７０は、上記で詳細に説明される実施形態のうちの１つ以上を実装するための機能性を含む。通信サブシステム１７０の特定の設計および実装は、ワイヤレスデバイス１００が動作することを目的としている、通信ネットワークに依存している。例えば、ワイヤレスデバイス１００の通信サブシステム１７０は、ＭｏｂｉｔｅｘＴＭ、ＤａｔａＴＡＣＴＭ、ＡＮ、または汎用パケット無線サービス（ＧＰＲＳ）移動データ通信ネットワークとともに動作するように設計され、また、先進移動電話サービス（ＡＭＰＳ）、時分割多重アクセス（ＴＤＭＡ）、符号分割多重アクセス（ＣＤＭＡ）、パーソナル通信サービス（ＰＣＳ）、グローバルシステムフォーモバイルコミュニケーションズ（ＧＳＭ（登録商標））等の種々の音声通信ネットワークのうちのいずれかとともに動作するように設計されてもよい。ＣＤＭＡの実施例は、１Ｘおよび１ｘ  ＥＶ−ＤＯを含む。このように、ワイヤレスデバイス１００は、ＧＳＭ（登録商標）、ＧＰＲＳ、ＥＤＧＥ、ＵＴＲＡＮ−ＴＤＤ、ＵＴＲＡＮ−ＦＤＤ、Ｅ−ＵＴＲＡＮ、ＣＤＭＡ２０００等の複数の無線アクセス技術をサポートしてもよい。通信サブシステム１７０はまた、８０２．１１Ｗｉ−Ｆｉネットワークおよび／または８０２．１６ＷｉＭＡＸネットワークとともに動作するように設計されてもよい。別個および統合型の両方である、他のタイプのデータおよび音声ネットワークもまた、ワイヤレスデバイス１００とともに利用されてもよい。
【０１１６】
ネットワーク登録または起動プロシージャが完了したときに、ワイヤレスデバイス１００は、通信ネットワーク１１０上で通信信号を送信および受信してもよい。受信アンテナ１５４によって通信ネットワーク１１０から受信される信号は、信号増幅、周波数下方変換、フィルタリング、チャネル選択等を提供し、また、アナログ・デジタル変換を提供し得る受信機１５０に送られる。受信信号のアナログ・デジタル変換は、ＤＳＰ１５８が、復調および復号等のより複雑な通信機能を果たすことを可能にする。同様に、ネットワーク１１０に伝送される信号は、ＤＳＰ１５８によって処理（例えば、変調および符号化）され、次いで、デジタル・アナログ変換、周波数上方変換、フィルタリング、増幅、および伝送アンテナ１５６を介した通信ネットワーク１１０（または複数のネットワーク）への伝送のために、伝送機１５２に提供される。
【０１１７】
通信信号を処理することに加えて、ＤＳＰ１５８は、受信機１５０および伝送機１５２の制御を提供する。例えば、受信機１５０および伝送機１５２において通信信号に印加される利得は、ＤＳＰ１５８で実装される自動利得制御アルゴリズムを通して適応的に制御されてもよい。
【０１１８】
短距離通信サブシステム１０２は、ワイヤレスデバイス１００と必ずしも同様のデバイスである必要がない他の近接システムまたはデバイスとの間の通信を可能にする。例えば、短距離通信サブシステムは、同様に使用可能なシステムおよびデバイスとの通信を提供するように、赤外線デバイスならびに関連回路および構成要素、またはＢｌｕｅｔｏｏｔｈ（登録商標）通信モジュールを含んでもよい。
【０１１９】
いくつかの実装では、ワイヤレスデバイス１００は、ＣＳ（回路交換）ならびにＰＳ（パケット交換）通信の両方に従事することができ、かつ継続性を失うことなく１つの通信モードから別の通信モードへ移行することができるように、複数のモードで動作することが可能である。他の実装が可能である。
【０１２０】
特定の実施形態では、チャネルアクセス要求を対応する基地局１１０に伝送するための上記の方法のうちの１つ以上は、集合的に、本明細書で説明される方法のうちの１つを実装するように適切に構成される通信サブシステム１７０、マイクロプロセッサ１２８、ＲＡＭ１１８、およびデータ通信モジュール１３０Ｂによって実装される。
【０１２１】
図５は、その中で、上記で説明された実施形態のうちの１つ以上が実装され得るシステムのブロック図である。ネットワークデバイスまたは基地局５１０によって表されるように、ネットワークと無線通信している移動局５００がある。図４との関連で概説されるように、移動局５００は、少なくとも１つのアンテナ５０２と、伝送機５０２および受信機５０４（送受信機としてともに実装され得る）と、コントローラ５０８とを有する。ネットワークデバイスまたは基地局５１０は、少なくとも１つのアンテナ５１４と、伝送機５１６および受信機５１８（受信機としてともに実装され得る）と、コントローラ５２０とを有する。コントローラ５０８、５２０は、ハードウェア、またはソフトウェアおよびハードウェアの組み合わせ、例えば、プロセッサ上で作動するソフトウェアで実装されてもよい。
【０１２２】
本書では、ＲＡＣＨ伝送成功の確率を修正するための方法およびシステムが説明されてきた。ＢＳによってサービス提供されるＭＳのうちのいくつかについては、チャネルアクセス成功の可能性が増加または減少させられ得る。具体的には、方法およびシステムは、特定のＢＳによってサービス提供されるＭＳの間において、チャネルアクセス成功の確率を公平な分配を提供するために使用されてもよい。これは、（おそらく非固定ＭＳと組み合わせて）固定ＭＳを取り扱う時に特に重要である。説明された方法およびシステムは、ＲＡＣＨ伝送のためのＵＬ電力レベルの修正、および／またはＲＡＣＨ伝送のための再試行アルゴリズムの修正、および／またはＲＡＣＨ伝送に使用されるＴＡの修正に依存する。修正は、（無線リンクの観点から）ＭＳからＢＳまでの「距離」の推定を条件として、行われてもよい。
【０１２３】
本書で説明される方法およびシステムは、ソフトウェア、ファームウェア、および／またはハードウェアとして実装されてもよい。ある構成要素は、例えば、デジタル信号プロセッサまたはマイクロプロセッサ上で作動するソフトウェアとして実装されてもよい。他の構成要素は、例えば、ハードウェアとして、または特定用途向け集積回路として実装されてもよい。説明された方法およびシステムで遭遇する信号は、ランダムアクセスメモリまたは光学記憶媒体等の媒体上に記憶されてもよい。それらは、電波ネットワーク、衛星ネットワーク、または無線ネットワーク等のネットワークを介して転送されてもよい。本書で説明される方法およびシステムを利用する一般的なデバイスは、携帯電話またはスマートフォン等の移動局である。ネットワーク側で、方法およびシステムは、基地局機器で使用されてもよい。
【図１】
0005669956.tif 000005
【図２】
0005669956.tif 000006
【図３】
0005669956.tif 000007
【図４】
0005669956.tif 000008
【図５】
0005669956.tif 000009